(57)【特許請求の範囲】
【請求項１】
内筒と外筒、肩壁とからなる嵌合筒と、該嵌合筒の内筒の上方に延設され、内側に注出筒を連接した螺着筒とを具備した中栓と、中栓の螺着筒に螺合する側筒壁と該側筒壁より拡径された中栓の肩壁と外筒を覆う被せ筒を具備したキャップとを備えた液注出容器であって、
前記中栓の外筒には、下端部に薄肉の連結部を設け、該連結部に続けて縦方向に延びる切込みが穿設されており、肩壁には、前記切込みに連続して、円弧状切込みが外筒内周に沿って穿設され、肩壁下面に円弧状切込みに続いて所定の角度範囲に切断溝が設けられており、前記外筒の切込みと肩壁の円弧状切込みによって摘み部が形成されていることを特徴とする中栓およびキャップを具えた液注出容器。
【発明の詳細な説明】
【０００１】
【発明の属する技術分野】
本発明は、液注出容器、とくに使用後に容器口筒部から簡単に取り外すことができる液注出容器の中栓およびキャップに関する。
【０００２】
【発明が解決しようとする課題】
使用済み注出容器のリサイクルのために、容器の廃棄時に、容器の素材と異なる樹脂材料から成形された中栓およびキャップを容器口筒部から取り外し、容器と別個に廃棄することが従来より奨励されているが、中栓を容器口筒部から取り外すためには相当大きな力を必要とし簡単に抜き取れないという問題があり、そのため各家庭では中栓を付けたまま容器を廃棄しているのが現状である。
【０００３】
本発明は、上記の問題を解決することを技術的課題とし、中栓を容器口筒部からの簡単に抜き取れるようにするとともに、熱充填後の冷却にあたって冷却水が侵入することを防ぐようにした液注出容器の中栓とキャツプを提供することを目的とする。
【０００４】
【課題を解決するための手段】
本発明は、上記の技術的課題を達成するため、中栓およびキャップを具えた液注出容器として、内筒と外筒、肩壁とからなる嵌合筒と、該嵌合筒の内筒の上方に延設され、内側に注出筒を連接した螺着筒とを具備した中栓と、中栓の螺着筒に螺合する側筒壁と該側筒壁より拡径された中栓の肩壁と外筒を覆う被せ筒を具備したキャップとを備えた液注出容器であって、前記中栓の外筒には、下端部に薄肉の連結部を設け、該連結部に続けて縦方向に延びる切込みが穿設されており、肩壁には、前記切込みに連続して、円弧状切込みが外筒内周に沿って穿設され、肩壁下面に円弧状切込みに続いて所定の角度範囲に切断溝が設けられており、前記外筒の切込みと肩壁の円弧状切込みによって摘み部が形成されていることを特徴とする構成を採用する。
【０００５】
【発明の実施の形態】
次に、本発明の実施形態について、図面を参照して説明する。
図１において、Ａは容器口筒部、Ｂは中栓、Ｃはキャップである。
いずれも合成樹脂で成形され、中栓ＢとキャップＣは、容器と素材樹脂を異にしている。
容器口筒部Ａは、係合突条１と保持突条２とを備えている。
【０００６】
図２，３に示すように、中栓Ｂは、容器口筒部Ａに嵌着する嵌合筒３と、注出筒４を連接した螺合筒５とを具えている。
嵌合筒３は、外筒６と内筒７および肩壁８とからなり、螺合筒５は、内筒７から上方に延びるよう連設されている。
外筒６の下端部内周には、容器口筒部Ａ外周に設けられた係合突条１に係合する係合突条９が突設されており、内筒７の外周面上方には、締め代を形成する膨出部１０が設けられている。
【０００７】
嵌着時には、内筒７の膨出部１０が容器口筒部Ａ内周に嵌合され、外筒６の係合突条９が係合突条１下端に係合して、中栓Ｂを容器口筒部Ａに嵌着する。
そして、内筒７とともに肩壁８が容器口筒部Ａ上端面に密着することによって容器内部を密封する。
【０００８】
外筒６の所定個所には、下端部に連結部１１を残して切込み１２が穿設され、肩壁８には、外筒６内周に沿って切込み１２に連続する一定長さの切込み１３が穿設されており、二つの切込みによって外筒６の周壁に摘み部１４が形成されている。
摘み部１４の表面には、ローレット１５が設けられ、引き裂きにあたって指先が滑らないようにしている。
肩壁８の下面には、切込み１３に続いて薄肉を残したほぼＶ字形の切断溝１６が、外筒６内周に沿って少なくとも１８０度を越える角度範囲に穿設されている。
【０００９】
螺合筒５の外周には、ネジ１７が刻設されており、上端には、内方に延びる注出筒４の支持壁１８が連設されている。
支持壁１８の下方には、嵌合筒３の内筒７および螺合筒５の内周と注出筒４外周とを連結する複数の補強リブ１９が配設され、注出筒４を安定的に支持するようにしている。
【００１０】
注出筒４は、その上端周縁には、外方に拡開され湾曲する注出口唇部２０が形成され、下端には、隔壁２１が連設されている。
隔壁２１の裏面には、所定の形状に沿って、薄肉を残してＶ字状の切断溝２２が設けられ、その内側の隔壁２１は除去部２３となっており、除去部２３の上面には、連結片２４を介して指掛けリング２５が設けられている。
【００１１】
図４に示すように、キャップＣは、頂壁３０と側筒壁３１、側筒壁３１の下方に設けられた被せ筒３２とを具えている。
頂壁３０の下面には、密封リング３３が垂設されており、側筒壁３１の内周には、中栓Ｂの螺着筒５のネジ１７に螺合するネジ３４が刻設されている。
側筒壁３１の下端には、フランジ状に拡がる肩壁３５が連設されており、肩壁３５の周縁から側筒３６が垂設されている。
肩壁３５と側筒３６によって、中栓Ｂの嵌合筒３に対する被せ筒３２が構成されている。
【００１２】
キャップＣを中栓Ｂに螺合締着すると、密封リング３３の外周は、注出筒４の内周に嵌合して注出筒４を密封し、被せ筒３２は、中栓Ｂの嵌合筒３の肩壁８と外筒６の外周面に接合して被嵌される。
【００１３】
次に、本注出容器の構成に基づく作用効果について説明する。
本容器は、加熱殺菌した内容液が充填され、加熱殺菌処理を施した後に冷却されるが、キャップＣの被せ筒３２によって、中栓Ｂの嵌合筒３が覆われているので、外筒６、肩壁８に切込み１２，１３が設けられていても冷却水が中栓Ｂ内部に入らず、容器内に吸引されることを防ぐことができる。
【００１４】
容器の使用中、液注出後にキヤップＣを中栓Ｂに被嵌すると、被せ筒３２によって中栓Ｂの嵌合筒３を覆うようにしているので、大気中の塵埃が、嵌合筒３の肩壁８、外筒６に付着して嵌合筒３が汚れたり、肩壁８の切込み１３に塵埃が溜まるようなことはない。
【００１５】
内容液の使用終了後に容器を廃棄するときには、中栓Ｂの外筒６の摘み部１４を引っ張ると、外筒６を肩壁８下面に設けた切断溝１６に沿って切り裂くことができる。
そして、少なくとも１８０度を越えて切り裂かれると、外筒６内周の係合突条９が容器口筒部Ａの係合突条１から離脱して外筒６による嵌合が解かれ、残る嵌合力は内筒７の膨出部１０と容器口筒部Ａ内周との間の締め代だけの係合であるので、中栓Ｂは簡単に抜き取ることができる。
【００１６】
【発明の効果】
本発明は、上記のように構成されているから、次の効果を奏する。
中栓の嵌合筒の肩壁の下面に、外筒内周に沿って切断溝を所定範囲にわたって設けたので、外筒の摘み部を引っ張ることによって切断溝を切り開き、外筒周壁を切断溝に沿って引き裂くことができる。
従って、中栓の取り外しが簡単となり、容器と中栓、キャップとの分別廃棄に役立てることができる。
【００１７】
キャップに中栓の嵌合筒を被嵌するよう被せ筒を設けたから、熱充填後の冷却にあたって、冷却水が切込みから吸引されることを防ぐことができる。
また、容器使用中に中栓の嵌合筒に塵埃が付着することを防ぐことができる。
【図面の簡単な説明】
【図１】本発明の中栓とキャップの組立図である。
【図２】中栓の説明図で、（ａ）は上面図、（ｂ）は正面図、（ｃ）は図（ａ）のＡ−Ａ線における断面図である。
【図３】中栓の底面図である。
【図４】キャップの一部断面正面図である。
【符号の説明】
Ａ          容器口筒部
Ｂ          中栓
Ｃ          キャップ
３          嵌合筒
４          注出筒
５          螺合筒
６          外筒
７          内筒
８          肩壁
１１          連結部
１２，１３    切込み
１４          摘み部
１５          ローレット
１６          切断溝
３１          側筒壁
３２          被せ筒
３５          肩壁
３６          側筒
【図１】
0003865936.tif 000002
【図２】
0003865936.tif 000003
【図３】
0003865936.tif 000004
【図４】
0003865936.tif 000005